(57)【要約】【課題】 オンラインゲームに参加するプレイヤが、ゲームに参加する際に、登録情報を送信しなくても、観戦者や競技者や競技内容を観ることが出来るようにすることで、ゲームに参加する敷居を下げ、ゲームに参加する意欲を高める。【解決手段】 ゲームシステムのゲームサーバは、プレイヤが登録情報を送信したか判断する登録状況判断手段６７と、プレイヤの登録状況から競技場情報を生成する競技場変更情報生成手段６８と、登録状況判断手段６７によってプレイヤの登録状況が判断されたときに競技場変更情報生成手段６８によって生成された競技場変更情報を、プレイヤの端末装置に配信する配信手段７１とを備える。【選択図】図４
2015008880.tif 000002
【特許請求の範囲】
【請求項１】
プレイヤが画像表示手段によって画面に表示されるゲームを実行する端末装置と、
当該端末装置と通信可能に接続される管理部とからなるゲームシステムであって、
前記管理部は、
前記プレイヤが登録情報を送信したか判断する登録状況判断手段と、
プレイヤの登録状況に基づいて変化させる競技場変更情報を生成する競技場変更情報生成手段と、
前記登録状況判断手段によって、前記プレイヤが登録済みか未登録かのどちらかが判断されたときに、前記プレイヤの前記端末装置または移動可能な通信装置に配信する配信手段と、を備え、
前記端末装置は、
前記競技場変更情報に基づいて画像を表示する画像表示手段を備えていることを特徴とするゲームシステム。
【請求項２】
プレイヤが画面に表示される観戦者と競技者、競技内容を観てゲームを実行する端末装置と、当該端末装置と通信可能に接続される管理部とからなるゲームシステムの制御方法であって、
プレイヤが登録情報を送信したか判断する登録状況判断ステップと、
登録済みであれば登録済みの競技場情報を、未登録であれば未登録の競技場情報を生成する競技場変更情報生成ステップと、
前記競技場変更情報生成手段によって生成された競技場変更情報を、前記プレイヤの端末装置または当該端末装置および移動可能な通信装置に前記競技場変更情報を配信する配信ステップと、
前記端末装置は、前記競技場変更情報生成手段に基づいて前記プレイヤの画像を変更する画像表示ステップと、を備えていることを特徴とするゲームシステムの制御方法。
【発明の詳細な説明】
【技術分野】
【０００１】
本発明は、プレイヤがゲームに参加する際に、登録情報を送信しなくても、観戦者や競技者や競技内容を観るゲームをコンピュータに実現させるためのゲームシステム、当該ゲームシステムの制御方法に関するものである。
【背景技術】
【０００２】
近年、複数のプレイヤ同士がインターネットを介して対戦するゲームを実現するゲームシステムが普及している。また、ソーシャルネットワークサービスからの情報を取得して、これをゲームに利用するものもある。（たとえば、特許文献１）
【０００３】
このようなゲームには、野球、サッカー、格闘技、カーレースなどの様々なゲームが存在する。このようなゲームでは、通常、プレイヤがゲームに参加するためには、メールアドレスやパスワードなどの登録情報の送信を必要とする。
【先行技術文献】
【特許文献】
【０００４】
【特許文献１】特表２００５ー５２６５８１号公報
【発明の概要】
【発明が解決しようとする課題】
【０００５】
この、ゲームに参加するために登録情報の送信を必要とするゲームシステムは、ゲーム内容を把握する前に個人情報を提供しなければならないことから、初めて遊ぶ人にとって参加するための敷居が高く、ゲームに参加する意欲を減らす要因となる。この点についての新たな展開が望まれる。
【０００６】
本発明は、上記の問題点に鑑みてなされたものであり、ゲームへ登録する前にあらかじめゲーム内容を把握出来るようにすることで、参加するための敷居を下げて、参加する意欲を高める。具体的には、登録前のプレイヤは、まず競技場に来る。そこでは、登録をしなくても、また何も操作をしなくても、競技場の様子が随時更新され、かつ対戦している内容が自動的に更新される。このように、競技場に来るだけで、何も操作をしなくても、競技場の内容が更新することで、従来のように、登録しなければ内容を観ることができないゲームよりも、参加するための敷居を下げ、参加する意欲が高まるゲームを実現させるゲームシステム、ゲームシステムの制御方法を提供することを目的とする。
【課題を解決するための手段】
【０００７】
（１）本発明の一局面に係るゲームシステムは、プレイヤがゲームを実行する端末装置と、当該端末装置と通信可能に接続される管理部とからなるゲームシステムであって、前記管理部は、競技場に来たプレイヤが登録情報を送信したか判断するプレイヤ登録状況判断手段と、競技場情報を生成する競技場変更情報生成手段と、競技場変更情報生成手段によって生成された競技場変更情報を、前記プレイヤの端末装置または当該端末装置および移動可能な通信装置に前記競技場変更情報を配信する配信手段とを備え、前記端末装置は、前記競技場変更情報生成手段に基づいて前記プレイヤの画像を変更する画像表示手段を備えている。
【０００８】
上記の構成によれば、プレイヤが競技場に来たときに、登録情報を送信していれば、登録されている場合の競技場情報を配信し、登録情報を送信していなければ、未登録の場合の競技場情報を配信することが可能になるので、ゲームに参加する前の面白さの要素を有する、従来にないゲームを実現できる。具体的には、プレイヤが競技場に入る際は、まず未登録として入場する。そのまま何も操作を行わない場合、他のプレイヤ同士が対戦するゲーム内容が更新され続ける。ここで、何か操作を行った場合は、登録情報を送信するための確認画面を表示する。
上記構成に従って順次説明すると、プレイヤが画面を観ながらゲームを実行する端末装置は、競技場変更情報に基づいて競技場を変更する機能を備えており、競技場を変化させ得るというゲーム要素を有する。ここで、競技場を変更させる競技場変更情報は、管理部の競技場変更情報生成手段が、プレイヤが登録済みか未登録かというプレイヤ状況の事象に基づいて生成するようになっている。
例えばプレイヤが登録済みである場合には、登録済みであるというプレイヤ状況の事象に基づいて、当該競技場を変化させる競技場変更情報が生成されることになる。そして管理部では、プレイヤの端末装置に、生成した競技場変更情報を配信するようになっている。つまり、プレイヤの登録状況に応じて、変化した競技場の配信を受けることが出来るのである。
【０００９】
これにより、プレイヤが未登録の場合にも、ゲームの内容を観ることが出来るので、ゲームへ参加するための敷居を下げ、参加する意欲を高めることが出来る。
【００１０】
以上のように本構成であれば、プレイヤ状況の事象に基づいて、つまりプレイヤが今、登録済みか未登録かということに基づいて、競技場を変更可能とするので、競技場の様子がプレイヤ状況に応じて変化するという、これまでにないゲーム性を有しているため、ゲームに参加するための敷居を下げ、参加する意欲を高めるゲームシステムを実現できる。
【００１１】
（２）上記の構成において、前記端末装置または前記通信装置は、プレイヤが登録情報を送信する登録状況確認手段と、前記登録状況確認手段を前記管理部の登録状況判断手段に送信する情報送信手段を備える。
【００１２】
上記の構成によれば、プレイヤが端末装置または通信装置から、プレイヤが登録情報を管理部の登録状況判断手段に送信することにより、登録済みかどうかが判断される。プレイヤが競技場に入場して、何も操作を行っていない場合は、未登録の情報が送信される。何か操作を行った場合は、登録情報を送信するための確認画面を表示する。
【００１３】
（３）上記の構成において、前記端末装置の画像表示手段は、競技場を構成する要素の変化を視認可能とした画面で表示する。前記競技場変更情報生成手段によって競技場が変更されるときには、ウィンドウが開く演出表示を行うことが好ましい。
【００１４】
上記の構成によれば、端末装置の画像表示手段は、ウィンドウの形式でゲーム画面上に画像表示するようになっている。そして、競技場の変更のときには、ウィンドウが開く演出を行うようになっている。これによりプレイヤは、競技場の変化を視覚的に、且つ臨場感を持って把握できるようになる。
【００１５】
（４）本発明の他の局面に係るゲームシステムの制御方法は、プレイヤが画面に表示されるゲーム内容を観てゲームを実行する端末装置と、当該端末装置と通信可能に接続される管理部とからなるゲームシステムの制御方法であって、プレイヤが登録情報を送信したか判断する登録状況判断ステップと、登録済みであれば登録済みの、未登録であれば未登録の競技場情報を生成する競技場変更情報生成ステップと、前記競技場変更情報生成手段によって生成された競技場変更情報を、前記プレイヤの端末装置または当該端末装置および移動可能な通信装置に前記競技場変更情報を配信する配信ステップと、前記端末装置は、前記競技場変更情報生成手段に基づいて前記プレイヤの画像を変更する画像表示ステップと、を備えている。
【発明の効果】
【００１６】
これまでは、ゲームで遊ぶ前に登録が必要だったゲーム要素を従来よりも拡充することにより、未登録でも競技場の様子を観ることが出来るので、ゲームに参加するための敷居を下げ、参加する意欲が高まる要素を有するゲームを実現できる。
【図面の簡単な説明】
【００１７】
【図１】本実施形態のゲームシステムの全体構成を示す説明図。
【図２】本実施形態のゲームシステムを構成するゲームサーバのハードウェア構成を示すブロック図。
【図３】本実施形態のゲームシステムを構成する端末装置のハードウェア構成を示すブロック図。
【図４】本実施形態のゲームサーバの制御部の機能ブロック図。
【図５】本実施形態のゲームシステムを構成する端末装置における制御部の機能ブロック図。
【図６】本実施形態のゲームシステムを構成する端末装置における競技場画面の説明図。
【図７】本実施形態のゲームシステムの主な動作を示すフローチャート。
【図８】本実施形態のゲームシステムを構成する端末装置の動作を示すフローチャート。
【発明を実施するための形態】
【００１８】
本発明の一実施の形態に係るゲームシステムについて、図面を参照しながら、以下に説明する。
【００１９】
〔ネットワークゲームシステムの概要〕
本ゲームシステムは、プレイヤが画面に表示される競技場の様子を観てゲームを実行するものであって、プレイヤの登録状況によって競技場を変化させ得る。この競技場を変化させ得るというゲーム要素は、ゲームの興趣性を高める上で非常に重要な要素であり、当該ゲーム要素を登録前のプレイヤが観ることが出来れば、さらに参加する敷居が下がり、参加する意欲が高まるゲームシステムを実現できる。そこで、本ゲームシステムは、これまでゲームに参加する際に必須であった登録情報を送信するための操作を、何も操作しなくても競技場を観戦することが出来るようにすることを可能にする。
【００２０】
以下、本ゲームシステムの構成を詳述する。
【００２１】
〔ゲームシステムの全体構成〕
図１は、本ゲームシステム１００の全体構成を示す図である。ゲームシステム１００は、ゲームサーバ１０１（管理部）と、当該ゲームサーバ１０１と通信可能に接続される端末装置１０２とを備えている。
【００２２】
プレイヤは、端末装置１０２の画像表示手段（後述）によって、画面に表示される観戦者と競技者、競技内容を観てゲームを行う。プレイヤが操作する端末装置１０２は、公知の携帯情報端末、携帯電話機等により構成される。
【００２３】
ネットワークゲームシステム１００において、各端末装置１０２には、当該各端末装置１０２を一意に識別するための端末ＩＤが付与されている。さらに、各端末装置１０２を操作する各プレイヤには、当該各プレイヤを特定するためのプレイヤＩＤが付与されている。そして、ゲームサーバ１０１は、これらの識別情報（端末ＩＤおよびプレイヤＩＤ）に対応づけて、各端末装置１０２との間でデータの送受信を行うことによって、各端末装置１０２および各プレイヤに関する情報を管理する。
【００２４】
ゲームサーバ１０１と端末装置１０２とは、移動体通信回線、公衆回線、専用回線、ＬＡＮ、インターネット等の通信路の一つまたは複数を組み合わせて相互に通信可能に接続される。
【００２５】
上記のゲームシステム内の各装置の構成、特にゲームサーバ１０１および端末装置１０２の構成を、以下に詳細に説明する。
【００２６】
〔ゲームシステム内の各装置の構成〕
図３に示すように、端末装置１０２は、制御部１０ａ、表示画像処理部２０ａ、音声再生部３０ａ、外部入出力制御部４０ａおよび通信部５０ａを備え、これらはバス５により相互に接続されている。
【００２７】
図３に示すように、制御部１０ａは、端末装置１０２の全体の動作を制御するもので、ゲームの進行全般に関する処理、画像表示処理の他、種々の情報処理を行う情報処理部（ＣＰＵ）１１ａと、処理途中の情報等を一時的に格納するＲＡＭ（Random Access Memory)１２ａと、各種プログラム等が予め記憶されたＲＯＭ１３ａと、を備え、これらはバス５を介して相互に接続されている。
【００２８】
ＲＯM１３ａには、オペレーションシステム（ＯＳ）のプログラムデータや、画像データ、音声データ並びに各種プログラムデータからなるゲームデータ等が記録されている。ＲＯＭ１３ａに記録されている画像データとしては、カード、背景画像、各種の操作画面や設定画面の画像等のデータがあげられる。
【００２９】
そして、ＣＰＵ１１ａは、内蔵のあるいは装着脱可能なＲＯＭ１３ａに記録されているオペレーティングシステムに基づいて、ＲＯＭ１３ａから画像データ、音声データ、制御プログラムデータ、ゲームプログラムデータ等を読み出す。読み出されたデータの一部若しくは全部は、ＲＡＭ１２ａ上に保持される。以後、ＣＰＵ１１ａはＲＡＭ１２ａ上に記録されている制御プログラムや各種データ（表示物体、テクスチャ、その他の文字画像を含む画像データ、音声データなど）に基づいて、各種データ処理を行う。
【００３０】
上記のデータ処理としては、画像および音声データの生成加工処理などが含まれる。
【００３１】
ＲＯＭ１３ａに記憶されている各種データのうち装着脱可能な記録媒体に記憶され得るデータは、例えばハードディスクドライブ、光ディスクドライブ、フレキシブルディスクドライブ、カセット媒体読み込み等の各種ドライブユニットで読み込み可能としてもよい。この場合、記録媒体としては、例えばハードディスク、光ディスク（ＣＤ−ＲＯＭ，ＤＶＤ−ＲＯＭ，ＵＭＤなど）、フレキシブルディスク、半導体メモリ、ＲＯＭカセット、あるいは家庭用ビデオゲーム装置用のカートリッジ等を用いることができる。
【００３２】
表示画像処理部２０ａは、インターフェース回路やＤ／Ａコンバート（Digital-To-Analogコンバータ）等を備え、ＣＰＵ１１ａからの画像表示指示に従って、ＲＡＭ１２ａに書き込まれた画像データや、ＲＯＭ１３ａから読み出される画像データ等を液晶ディスプレイ等のモニタ２１ａに表示させるものである。
【００３３】
音声出力部３０ａは、ＣＰＵ１１ａからの指示に従ってゲーム進行過程の中で発生させるべき音声メッセージ、効果音、楽曲データ等を生成し、スピーカ３１ａに出力するものである。
【００３４】
外部入出力制御部４０ａとは、インターフェース回路等を含み、制御部１０ａと入力操作部４１ａとの間でデータの入出力制御を行う。例えば、外部入出力制御部４０ａは、入力操作部４１ａから入力される操作検出信号を制御部１０ａで処理可能なデジタル信号に変換する。入力操作部４１ａは、プレイヤが種々の操作命令を入力するためのキーボード、ボタン、タッチパネル等から構成される。
【００３５】
通信部５０ａは、通信情報インターフェース回路や通信モデム等を備え、ゲームサーバ１０１との間、および対戦相手の他の端末装置１０２との間で、インターネット等の通信路を介して各種データの送受信をするためのものである。
【００３６】
次に、ゲームサーバ１０１の構成を説明する。図２に示すように、ゲームサーバ１０１は、サーバ制御部１０cおよびサーバ通信部５０ｃを備えるコンピュータである。
【００３７】
サーバ制御部１０ｃは、ゲームサーバ１０１の全体の動作を制御するもので、情報処理部（ＣＰＵ）１６０と、処理途中の情報等を一時的に格納するＲＡＭ１７０と、所定のプログラム等が予め記憶されたＲＯＭ１８０と、ハードディスク装置や光ディスク装置などの補助記憶部１９０とを備える。ＲＯＭ１８０や補助記憶部１９０に記録されているオペレーションシステム（ＯＳ）、各種プログラム、各種設定データはＲＡＭ１７０上にロードされ、ＣＰＵ１６０によりＲＡＭ１７０上のプログラムが順次実行されることによって、ゲームサーバ１０１の各種機能が実現される。
【００３８】
サーバ通信部５０ｃは、通信情報インターフェース回路や通信モデム等を備え、各端末装置１０２との間で、インターネット等の通信路を介して各種データの送受信を行う。
【００３９】
次に、ゲームサーバ１０１および端末装置１０２の機能的構成について、以下に説明する。図４は、ゲームサーバ１０１におけるサーバ制御部１０ｃのブロック図である。図５は、端末装置１０２における制御部１０ａのブロック図である。
【００４０】
先ず、ゲームサーバ１０１の主な機能について説明する。ゲームサーバ１０１は、登録状況判断機能および情報生成機能、競技場変更情報配信機能を具備している。
【００４１】
登録状況判断機能とは、プレイヤが送信した登録情報を受信し、登録済みか未登録か判断する機能である。
【００４２】
競技場変更情報生成機能とは、プレイヤが送信した登録情報に基づいて、変更後の競技場情報を生成する機能である。
【００４３】
競技場変更情報配信機能とは、上記の情報生成機能により生成した競技場変更情報を、プレイヤの端末装置１０２に配信する機能である。これらの各機能を実現する構成の詳細については後述する。
【００４４】
図４に示すように、ゲームサーバ１０１のサーバ制御部１０ｃは、登録状況判断手段６７、競技場変更情報生成手段６８および配信手段７１を備えている。
【００４５】
競技場変更情報生成手段６８は、登録状況判断手段が受信したプレイヤが登録済みか未登録かという情報から生成できる情報生成部６９を備える。そして、競技場変更情報生成手段６８は、それらの情報を記憶する情報記憶部７０を備える。
【００４６】
競技場変更情報生成手段６８が情報を生成する態様には、様々な組み合わせが考えられる。競技場を構成する要素には、観戦者の名前、観戦者の人数、競技者の名前、競技者の画像、オッズ、賭けられた通貨の総数、ゲーム内容などがある。
【００４７】
競技場変更情報生成手段６８は、生成した競技場の情報を記憶する情報記憶部７０を備える。そして、競技場変更情報生成手段６８は、情報記憶部７０に記憶している情報を配信手段７１に出力する。
【００４８】
配信手段７１は、プレイヤの端末装置１０２に、情報を配信する。配信手段７１によるプレイヤの端末装置１０２への配信の形態には、競技場変更情報生成手段６８が情報を生成した直後に、プレイヤの端末装置１０２へ配信手段７１が情報を配信する形態が考えられる。
【００４９】
次に、端末装置１０２の主な機能について説明する。図５に示すように、端末装置１０２の制御部１０ａは、登録状況確認手段７５、情報送信手段７６、情報受信手段７７および画像表示手段７８を備えている。
【００５０】
登録状況確認手段７５は、プレイヤがゲームを開始した際にゲームサーバ１０１に情報を確認する要求を出す。
【００５１】
情報送信手段７６は、登録状況確認手段７５により登録済みか未登録かを確認する要求を、ゲームサーバ１０１へ送信する。
【００５２】
情報受信手段７７は、ゲームサーバ１０１から配信される情報を受信し当該情報をＲＡＭ１２ａに一時記憶する。
【００５３】
画像表示手段７８は、表示画像処理部２０ａ（図３参照）を制御し、端末装置１０２の画面（モニタ２１ａ）にカードを表示させるものと、ゲーム内容を表示させるものである。この画像表示手段７８は、エフェクト表示部７９とテキスト表示部８０と、キャラクタ表示部８１と、背景表示部８２とを備えている。
【００５４】
エフェクト表示部は、情報受信手段７７から受信した情報に基づいて、端末装置１０２の画面上にエフェクトを表示させる。
テキスト表示部は、情報受信手段７７から受信した情報に基づいて、端末装置１０２の画面上にテキストを表示させる。
キャラクタ表示部は、情報受信手段７７から受信した情報に基づいて、端末装置１０２の画面上にキャラクタを表示させる。
背景表示部は、情報受信手段７７から受信した情報に基づいて、端末装置１０２の画面上に背景を表示させる。
【００５５】
図６は、競技場の画面である。
【００５６】
競技場には他の観戦者の名前が上下に表示されている。
【００５７】
中央にゲーム画面があり、この中で競技が行われる。
【００５８】
ゲーム画面の上下を挟むように競技者の画像と名前が表示される。その横にＢＥＴボタンがあり、これを押すと登録情報を送信するための確認画面が表示される。
【００５９】
次に、本実施の形態に係るゲームシステム１００の動作の概略について、図７および図８に示すフローチャートを用いて説明する。
【００６０】
図７は、本実施形態のゲームシステムが、端末装置とサーバ間で情報を送受信する際の処理の一例を示すフローチャートである。
【００６１】
まず、登録状況の確認を送信する（Ｓ１１）。サーバは情報を受信し（Ｓ２１）、受信した情報のなかに登録情報が含まれていれば、プレイヤが登録済みなのか未登録なのかを判断する（Ｓ２２）。このとき、登録情報が含まれていなければ、未登録と判断する。サーバは、プレイヤが登録済みか未登録かの判断に応じて競技場情報を生成する（Ｓ２３）。登録済みであればその競技場情報を送信し、未登録であればその競技場情報を送信する（Ｓ２４）。
【００６２】
プレイヤは競技場情報を受信する（Ｓ１２）。
【００６３】
次に、図８のフローチャートを参照して、ゲーム概要を説明する。端末装置１０３においてゲームの起動ボタンが押されると、ゲームプログラムを格納しているＲＯＭ１３ａまたは記録媒体からＲＡＭ１２ａに当該ゲームプログラムがロードされて格納される（Ｓ３１）。このとき、ゲームを実行する上で必要となる各種の基本ゲームデータも、併せて、ＲＯＭ１３ａまたは記録媒体からＲＡＭ１２ａにロードされて格納される（Ｓ３１）。これにより、ゲームプログラムおよび基本ゲームデータが端末装置１０３のＣＰＵ１１ａに認識される。ここで、基本ゲームデータとしては、各種の画像に関するデータ（例えば各種のオブジェクトの画像データ等）をゲーム空間に配置するための位置座標データが含まれる。
【００６４】
次に、端末装置１０３のＣＰＵ１１ａは、ＲＡＭ１２ａに格納された基本ゲームデータに基づいてゲームプログラムを実行する（Ｓ３２）。プレイヤはゲーム起動と同時にまず、登録情報を送信するかどうかを選択する（Ｓ３３）。登録情報を送信しなければ未登録と判断され、未登録の観戦が実行され、画面上のデータやオブジェクトの情報の更新が行われる（Ｓ３４）。登録情報を送信し登録済みと判断されれば、登録済みの観戦が実行され、画面上のデータやオブジェクトの情報の更新が行われる（Ｓ３５）。
【符号の説明】
【００６５】
１０ａ  制御部
１０ｃ  サーバ制御部
６７  登録状況判断手段
６８  競技場変更情報生成手段
６９  情報生成部
７０  情報記憶部
７１  配信手段
７５  登録状況確認手段
７６  情報送信手段
７７  情報受信手段
７８  画像表示手段
１００  ゲームシステム
１０１  ゲームサーバ
１０２  端末装置
【図１】
2015008880.tif 000003
【図２】
2015008880.tif 000004
【図３】
2015008880.tif 000005
【図４】
2015008880.tif 000006
【図５】
2015008880.tif 000007
【図６】
2015008880.tif 000008
【図７】
2015008880.tif 000009
【図８】
2015008880.tif 000010